(57)【要約】      （修正有）【課題】固定スクロールの下部の吐出室下部と吸入室下部とを連通させる連通路に挿入係止されたオリフィスが連通路から抜け出るおそれの無いスクロール型圧縮機の提供。【解決手段】渦巻体を有する固定スクロールと、固定スクロールとかみ合って複数の作動空間を形成する可動スクロールと、可動スクロールの旋回駆動機構と、可動スクロールの自転防止機構と、固定スクロールと可動スクロールと旋回駆動機構と自転防止機構とを収容するハウジングとを備え、ハウジングの内部空間が吸入室と吐出室とに区画され、吸入室内に可動スクロールと旋回駆動機構と自転防止機構とが収容され、吐出室の下部と吸入室の下部との連通路が固定スクロールの下部に形成され、前記連通路にオリフィスが挿入され、オリフィスに形成された突起又は凹部の何れか一方が、前記連通路に形成された突起又は凹部の何れか他方に弾性係合して前記連通路にオリフィスが係止されている。【選択図】図２
2008291794.tif 000002
【特許請求の範囲】
【請求項１】
渦巻体を有する固定スクロールと、渦巻体を有し固定スクロールとかみ合って複数の作動空間を形成する可動スクロールと、可動スクロールの旋回駆動機構と、可動スクロールの自転防止機構と、固定スクロールと可動スクロールと旋回駆動機構と自転防止機構とを収容するハウジングとを備え、固定スクロールによりハウジングの内部空間が吸入室と吐出室とに区画され、吸入室内に可動スクロールと旋回駆動機構と自転防止機構とが収容され、吐出室の下部と吸入室の下部とを連通させる連通路が固定スクロールの下部に形成され、前記連通路にオリフィスが挿入され、オリフィスに形成された突起又は凹部の何れか一方が、前記連通路に形成された突起又は凹部の何れか他方に弾性係合して前記連通路にオリフィスが係止されていることを特徴とするスクロール型圧縮機。
【請求項２】
オリフィスは金属製のオリフィスチューブとオリフィスチューブの一端が固定された樹脂製の筒部を有するフィルターとを備え、フィルターの樹脂製筒部に突起又は凹部が形成されていることを特徴とする請求項１に記載のスクロール型圧縮機。
【請求項３】
連通路の吐出室側端部周壁とフィルターの樹脂製筒部外周面との間に環状隙間が形成されていることを特徴とする請求項２に記載のスクロール型圧縮機。
【発明の詳細な説明】
【技術分野】
【０００１】
本発明はスクロール型圧縮機に関するものである。
【背景技術】
【０００２】
渦巻体を有する固定スクロールと、渦巻体を有し固定スクロールとかみ合って複数の作動空間を形成する可動スクロールと、可動スクロールの旋回駆動機構と、可動スクロールの自転防止機構と、固定スクロールと可動スクロールと旋回駆動機構と自転防止機構とを収容するハウジングとを備え、固定スクロールによりハウジングの内部空間が吸入室と吐出室とに区画され、吸入室内に可動スクロールと旋回駆動機構と自転防止機構とが収容され、吐出室の下部と吸入室の下部とを連通させる連通路が固定スクロールの下部に形成され、前記連通路にオリフィスが挿入係止されたスクロール型圧縮機が特許文献１等に開示されている。
従来のスクロール型圧縮機においては、オリフィスに形成された周溝に嵌合したＯリングが連通路周壁に押し当てられることによって、オリフィスは連通路に係止されていた。
【特許文献１】実公平１−０１０４５８号公報
【発明の開示】
【発明が解決しようとする課題】
【０００３】
従来のオリフィス係止方法は万全ではなく、圧縮機稼働時の振動等によりオリフィスが連通穴から抜け出る可能性があった。
本発明は上記問題に鑑みてなされたものであり、渦巻体を有する固定スクロールと、渦巻体を有し固定スクロールとかみ合って複数の作動空間を形成する可動スクロールと、可動スクロールの旋回駆動機構と、可動スクロールの自転防止機構と、固定スクロールと可動スクロールと旋回駆動機構と自転防止機構とを収容するハウジングとを備え、固定スクロールによりハウジングの内部空間が吸入室と吐出室とに区画され、吸入室内に可動スクロールと旋回駆動機構と自転防止機構とが収容され、吐出室の下部と吸入室の下部とを連通させる連通路が固定スクロールの下部に形成され、前記連通路にオリフィスが挿入係止されたスクロール型圧縮機であって、連通穴へのオリフィスの係止が万全であり、オリフィスが連通穴から抜け出るおそれの無いスクロール型圧縮機を提供することを目的とする。
【課題を解決するための手段】
【０００４】
上記課題を解決するために、本発明においては、渦巻体を有する固定スクロールと、渦巻体を有し固定スクロールとかみ合って複数の作動空間を形成する可動スクロールと、可動スクロールの旋回駆動機構と、可動スクロールの自転防止機構と、固定スクロールと可動スクロールと旋回駆動機構と自転防止機構とを収容するハウジングとを備え、固定スクロールによりハウジングの内部空間が吸入室と吐出室とに区画され、吸入室内に可動スクロールと旋回駆動機構と自転防止機構とが収容され、吐出室の下部と吸入室の下部とを連通させる連通路が固定スクロールの下部に形成され、前記連通路にオリフィスが挿入され、オリフィスに形成された突起又は凹部の何れか一方が、前記連通路に形成された突起又は凹部の何れか他方に弾性係合して前記連通路にオリフィスが係止されていることを特徴とするスクロール型圧縮機を提供する。
本発明に係るスクロール型圧縮機においては、オリフィスに形成された突起又は凹部の何れか一方が、前記連通路に形成された突起又は凹部の何れか他方に弾性係合して前記連通路にオリフィスが係止されているので、連通穴へのオリフィスの係止が万全であり、オリフィスが連通穴から抜け出るおそれは無い。
【０００５】
本発明の好ましい態様においては、オリフィスは金属製のオリフィスチューブとオリフィスチューブの一端が固定された樹脂製の筒部を有するフィルターとを備え、フィルターの樹脂製筒部に突起又は凹部が形成されている。
樹脂製筒部に係止用突起又は凹部を形成することにより、オリフィスを連通路に装着する際に、樹脂製筒部の径方向の弾性変形を利用して装着作業を容易化することができる。
【０００６】
本発明の好ましい態様においては、連通路の吐出室側端部周壁とフィルターの樹脂製筒部外周面との間に環状隙間が形成されている。
連通路の吐出室側端部周壁とフィルターの樹脂製筒部外周面との間に環状隙間を形成することにより、オリフィスを連通路に装着する際に、樹脂製筒部の弾性曲げ変形を利用して装着作業を容易化することができる。
【発明の効果】
【０００７】
本発明により、連通穴へのオリフィスの係止が万全であり、オリフィスが連通穴から抜け出るおそれの無いスクロール型圧縮機が提供される。
【発明を実施するための最良の形態】
【０００８】
本発明の実施例に係るスクロール型圧縮機を説明する。
図１に示すように、本実施例に係るスクロール型圧縮機は、端板１ａと渦巻体１ｂとを有する固定スクロール１と、端板２ａと渦巻体２ｂとを有する可動スクロール２とを備えている。固定スクロール１と可動スクロール２とは互いにかみ合い、複数対の作動空間３を形成している。
ケーシング４ａがフロントハウジング４ｂに当接固定され、フロントハウジング４ｂと共働してハウジング４を形成している。固定スクロールの端板１ａにより、ハウジング４の内部空間は吸入室５と吐出室６とに区画されている。
ハウジング４に形成された図示しない吸入ポートが吸入室５に連通している。吸入ポートは外部冷媒回路の低圧側に接続している。
ハウジング４に形成された図示しない吐出ポートが吐出室６に連通している。吐出ポートは外部冷媒回路の高圧側に接続している。
【０００９】
吸入室５内に主軸７が配設されている。主軸７はラジアルベアリング８、９を介してフロントハウジング４ｂにより回転可能に支持されている。主軸７の一端はフロントハウジング４ｂの外部へ突出している。
電磁クラッチ１０が、ラジアルベアリング１１を介してフロントハウジング４ｂにより回転可能に支持されている。
主軸７の他端に偏心ピン１２が固定されている。ブッシュ１３が偏心ピン１２に摺動可能に外嵌合している。ブッシュ１３はラジアルベアリング１４を介して可動スクロール２の端板２ａの背面に形成されたボス２ｃ内に収容されている。
可動スクロール２とフロントハウジング４ｂとの間にボールカップリング１５が配設されている。
【００１０】
固定スクロールの端板１ａの中心に吐出孔１６が形成されている。吐出孔１６は端板１ａに取り付けられた吐出弁１７を介して吐出室６に連通している。
【００１１】
吐出室６内に且つ吐出孔１６の下方に、邪魔板１８が配設されている。邪魔板１８と固定スクロールの端板１ａとの間に微少隙間が形成されている。邪魔板１８により、吐出室６の下部に貯油室６ａが形成されている。
貯油室６ａの下部と吸入室５の下部とを連通させる直線状の連通路１９が、固定スクロールの端板１ａの下部と渦巻体１ｂの下部とを貫通して形成されている。連通路１９は、貯油室６ａ側の大径部１９ａと吸入室５側の小径部１９ｂとを有している。大径部１９ａの貯油室６ａ側端部に拡径部１９ｃが形成され、拡径部１９ｃに凹部１９ｄが形成されている。
【００１２】
図２に示すように、金属製のオリフィスチューブ２０ａと、オリフィスチューブ２０ａの一端が固定された樹脂製筒部２０ｂ’を有するフィルター２０ｂとによりオリフィス２０が形成されている。樹脂製筒部２０ｂ’のオリフィスチューブ２０ａから離隔する端部に径方向突起２０ｃが形成されている。樹脂製筒部２０ｂ’のオリフィスチューブ２０ａに近接する端部にＯリング２１が装着されている。
オリフィス２０は、連通路１９に挿入されている。オリフィスチューブ２０ａは連通路の小径部１９ｂに嵌入し、フィルター２０ｂは連通路の大径部１９ａに嵌入している。連通路の拡径部１９ｃ周壁とフィルターの樹脂製筒部２０ｂ’外周面との間に環状隙間Ｓが形成されている。オリフィスの突起２０ｃが、連通路１９の凹部１９ｄに弾性係合している。フィルターの樹脂製筒部２０ｂ’と連通路の大径部１９ａとの当接部はＯリング２１によりシールされている。オリフィス２０は、Ｏリング２１が連通路の大径部１９ａ周壁に押し当てられ、且つ突起２０ｃが連通路の凹部１９ｄに弾性係合することにより、連通路１９に係止している。
【００１３】
本実施例に係るスクロール型圧縮機においては、図示しない駆動源の動力が電磁クラッチ１０を介して主軸７の一端に伝達され、主軸７が回転駆動される。主軸７の回転に伴って可動スクロール２が旋回運動し、吸入ポートを通って吸入室５へ吸引された冷媒ガスが、作動空間３内に取り込まれる。ボールカップリング１５により可動スクロール２の自転が阻止される。
冷媒ガス中に分散浮遊するミスト状の潤滑油が、吸入室５内の主軸７、偏心ピン１２、ブッシュ１３、ラジアルベアリング８、９、１４、ボールカップリング１５、可動スクロール２と固定スクロール１との摺接部等を潤滑する。
【００１４】
作動空間３が体積を減少させつつ固定スクロール１の中心へ向けて移動し、作動空間３内の冷媒ガスが圧縮される。圧縮された冷媒ガスは固定スクロール１の端板１ａに形成された吐出孔１６と吐出弁１７とを介して吐出室６へ吐出する。冷媒ガスは吐出室６の囲壁に衝突する。冷媒ガスが吐出室６の囲壁に衝突する際に、冷媒ガス中に分散浮遊するミスト状の潤滑油が吐出室６の囲壁に付着して冷媒ガスから分離除去され、邪魔板１８と固定スクロールの端板１ａとの間の微少隙間を通って、貯油室６ａに溜まる。
潤滑油が分離除去された冷媒ガスは、図示しない吐出ポートを介して外部冷媒回路の高圧側へ流出する。吐出室から外部冷媒回路へ吐出する冷媒ガスから潤滑油が分離除去されることにより、外部冷媒回路の熱効率が向上する。
【００１５】
高圧の貯油室６ａに溜まった潤滑油は、固定スクロール１の下部に形成された連通路１９に挿入係止されたオリフィス２０を通って、低圧の吸入室５下部へ圧送される。潤滑油がオリフィス２０のフィルター２０ｂを通過する際に潤滑油に含まれる金属粉などの塵芥が除去される。潤滑油の圧送流量がオリフィスチューブ２０ａにより適正値に規制される。吸入室５の下部へ圧送された潤滑油は、吸入室５の下部に溜まり、旋回運動する可動スクロール２、ブッシュ１３、回転する偏心ピン１２等により、吸入室５の上部へ運ばれる。吸入室５の上部へ運ばれた潤滑油は、下方へ流れ下り、吸入室５内の主軸７、偏心ピン１２、ブッシュ１３、ラジアルベアリング８、９、１４、ボールカップリング１５、可動スクロール２と固定スクロール１との摺接部等を潤滑する。
【００１６】
本実施例に係るスクロール型圧縮機においては、Ｏリング２１が連通路の大径部１９ａ周壁に押し当てられることに加えて、オリフィス２０に形成された突起２０ｃが、連通路１９に形成された凹部１９ｄに弾性係合して、連通路１９にオリフィス２０が係止されているので、連通路１９へのオリフィス２０の係止が万全であり、オリフィス２０が連通路１９から抜け出るおそれは無い。
樹脂製筒部２０ｂ’に突起２０ｃを形成することにより、オリフィス２０を連通路１９に装着する際に、樹脂製筒部２０ｂ’の径方向の弾性変形を利用して突起２０ｃと連通路１９との干渉を緩和し、オリフィス２０の装着作業を容易化している。
連通路１９の貯油室６ａ側端部周壁とフィルター２０の樹脂製筒部２０ｂ’外周面との間に環状隙間Ｓを形成することにより、オリフィス２０を連通路１９に装着する際に、図２（ａ）に一点鎖線で示すように、樹脂製筒部２０ｂ’の弾性曲げ変形を利用して突起２０ｃと連通路１９との干渉を緩和し、オリフィス２０の装着作業を容易化している。
【００１７】
上記実施例ではオリフィス２０に形成した突起２０ｃを、連通路に形成した凹部１９ｄに弾性係合させたが、連通路１９に形成した突起をオリフィス２０形成した凹部に弾性係合させて、オリフィス２０を連通路１９に係止しても良い。
【図面の簡単な説明】
【００１８】
【図１】本発明の実施例に係るスクロール型圧縮機の側断面図である。
【図２】本発明の実施例に係るスクロール型圧縮機の部分拡大側断面図である。（ａ）は図１の部分拡大図であり、（ｂ）は（ａ）のｂ−ｂ矢視図である。
【符号の説明】
【００１９】
１  固定スクロール
１ａ  端板
１ｂ  渦巻体
２  可動スクロール
２ａ  端板
２ｂ  渦巻体
３  作動空間
４  ハウジング
５  吸入室
６  吐出室
６ａ  貯油室
１９  連通路
１９ｄ  凹部
２０  オリフィス
２０ｃ  突起
【図１】
2008291794.tif 000003
【図２】
2008291794.tif 000004